(57)【要約】【課題】  エレベータ扉の開閉状態が分かる扉開閉表示灯をホールランタンの方向表示灯内に設けたエレベータの表示装置を得ることを課題とする。【解決手段】  各階床に設けられる呼び登録装置と、前記呼び登録装置の操作に対応して呼び階床に移動するエレベータのかごの移動方向を表示する方向表示灯を有するホールランタンとを備えたエレベータにおいて、ホールランタンの方向表示灯内にエレベータ扉の開閉状態を表示する扉開閉表示灯を設けたエレベータの表示装置を提供する。【選択図】図２
2005219923.tif 000002
【特許請求の範囲】
【請求項１】
各階床に設けられる呼び登録装置と、前記呼び登録装置の操作に対応して呼び階床に移
動するエレベータのかごの移動方向を表示する方向表示灯を有する到着表示装置とを備えたエレベータの表示装置において、
前記到着表示装置の方向表示灯内にエレベータ扉の開閉状態を表示する扉開閉表示灯を
設けたことを特徴とするエレベータの表示装置。
【請求項２】
扉開閉表示灯は、エレベータ扉が動作する所定時間前から点滅するものであることを特
徴とする請求項１に記載のエレベータの表示装置。
【請求項３】
到着表示装置の方向表示灯を、上昇方向表示灯と下降方向表示灯で構成すると共に、扉
開閉表示灯を前記到着表示装置の上昇方向表示灯と下降方向表示灯のそれぞれ中に設けたことを特徴とする請求項１または請求項２に記載のエレベータの表示装置。
【請求項４】
扉開閉表示灯を、エレベータ扉が開くことを表示する扉開表示灯と、エレベータ扉が閉まることを表示する扉閉表示灯から構成したことを特徴とする請求項１から請求項３のいずれかに記載のエレベータの表示装置。
【発明の詳細な説明】
【技術分野】
【０００１】
この発明は、エレベータ扉の開閉状態を表示するエレベータの表示装置に関するものである。
【背景技術】
【０００２】
従来、例えば複数台のエレベータを群管理制御するような場合、エレベータのかごが上昇移動または下降移動している階床、もしくは停止している階床を示す階床表示灯群と、
エレベータのかごの移動方向が上昇方向か下降方向かを示す上昇方向矢印灯、下降方向矢印灯とを有する乗り場インジケータが乗り場のエレベータの扉上方個所に設けられている。また、呼びに応じるエレベータがどのエレベータであるかを明確にするため、各エレベータ出入口付近にランプ等の表示灯を有する到着表示装置（以下、ホールランタンと称する。）を設け、このホールランタンの点灯により呼び階床にかごが移動するエレベータの表示を行っている。
このホールランタンは、各階床にそれぞれ設けられている呼び登録装置（以下、ホール呼釦と称する。）の操作後、呼び階床にかごが移動するエレベータが決まり、呼び階床へのかごの到着時間が第１の所定時間前になったところで点灯し、呼び階床へのかごの到着時間が第１の所定時間より短い第２の所定時間前になったところで点滅に変わり、かごが呼び階床に到着することを知らせる。かごが呼び階床に到着するとエレベータ扉が開いて利用者が乗降し、その後、エレベータ扉が閉まってかごは上昇移動または下降移動し始め、ホールランタンは消灯する。
【０００３】
前記のように動作するホールランタンの機能を、前記上昇方向矢印灯および下降方向矢印灯に兼用させた乗り場矢印灯がある（例えば、特許文献１参照）。
しかし、この特許文献１に開示された乗り場矢印灯は、エレベータかごの移動方向が上昇方向か下降方向かを上昇方向矢印灯あるいは下降方向矢印灯を点灯させることにより表示し、かごが呼び階床に到着する所定時間前からこの上昇方向矢印灯あるいは下降方向矢印灯を点滅させ、かごが呼び階床に到着するまで点滅を続行するものである。そして、かごが呼び階床に到着すると、上昇方向矢印灯あるいは下降方向矢印灯を点滅から点灯に変化させ、上昇方向矢印灯および下降方向矢印灯として作用させるものであって、エレベータ扉の開閉状況、即ち、エレベータ扉がいつ開くのか、また、いつ閉まるのかまでは分からないものである。このため、例えば、エレベータ扉が開いているエレベータのかごに乗るために、上昇方向矢印灯あるいは下降方向矢印灯の点灯しているエレベータの出入口に向かっていた利用者が、エレベータ扉が閉まり始めてかごに乗り込めないとか、閉まるエレベータ扉に挟まれるような不都合が度々生じることがあり、この不都合は、エレベータ扉の閉扉開始後に、ホール呼釦の操作によるエレベータ扉の再開扉が行えないことが多い群管理エレベータに特によく生じることである。
【０００４】
【特許文献１】実開昭５２−１７４５７号公報（第２頁１２行−１４行、図１）
【特許文献２】特開２００１−３０２１２６号公報（第３欄３０行−第５欄４２行、図１）
【０００５】
そこで、前記のような不都合を解消するために、エレベータ扉が開いている時間を利用者に分り易くするものとして、上昇方向矢印灯と下降方向矢印灯との間に、全開しているエレベータ扉が閉まり始めるまでの時間をＴＴＬアレイを点灯制御して表示する扉開閉表示灯を設けたエレベータ扉全開の残り時間表示方法が提案されている（例えば、特許文献２参照）。
【発明の開示】
【発明が解決しようとする課題】
【０００６】
前記特許文献１に開示されたエレベータの表示装置は、エレベータ扉がいつ開き、いつ閉まるのか、扉の開閉状態が分らないと言う問題点があり、また、前記特許文献２に開示されたエレベータ扉全開の残り時間表示方法は、上昇方向矢印灯と下降方向矢印灯との間に、全開しているエレベータ扉が閉まり始めるまでの時間を表示するＴＴＬアレイからなる扉開閉表示灯を設けたものであるので、表示装置の外形が大きくなり、このため表示装置を取り付けるために乗り場ホール壁に形成する穴あけ量が大きくなって、建築施工の負担が増すと共に施工費用が高くなる問題点があった。
【０００７】
この発明は、前記問題点に鑑みてなされたもので、エレベータホールにおいてエレベータ扉の開閉状態が分かる扉開閉表示灯をホールランタンの方向表示灯内に設けたエレベータの表示装置を得ることを課題とするものである。
【課題を解決するための手段】
【０００８】
前記目的を達成するために、この発明にかかるエレベータの表示装置は、各階床に設け
られる呼び登録装置と、前記呼び登録装置の操作に対応して呼び階床に移動するエレベー
タのかごの移動方向を表示する方向表示灯を有するホールランタンとを備えたエレベータ
の表示装置において、前記ホールランタンの方向表示灯内にエレベータ扉の開閉状態を表
示する扉開閉表示灯を設けたものである。
【発明の効果】
【０００９】
この発明によれば、ホールランタンの方向表示灯内に扉開閉表示灯を設けたため、扉開閉表示灯部のスペースが不要となり、従って、この分ホールランタンの外形を小さくできるので、ホールランタンを取り付けるために乗り場ホール壁に形成する穴あけ量が小さくなり、建築施工の負担が軽減できると共に施工費用の削減が図れる効果がある。
【発明を実施するための最良の形態】
【００１０】
以下に添付図面を参照して、この発明にかかるエレベータの表示装置について好適な実施の形態を説明する。
【００１１】
実施の形態１．
図１および図２は、この発明の実施の形態１を説明する図面で、図１はエレベータの乗り場ホールの斜視図であり、図２はホールランタンの詳細構成図である。
図１において、乗り場ホール１の壁２に出入り口３が形成されており、この出入り口３には左右に開閉するエレベータ扉４が設置されている。また、乗り場ホール１の壁２にはホール呼釦５が設けられ、その上方の壁２にはホールランタン６が設けられている。なお、ホール呼釦５およびホールランタン６は、各階床のエレベータごとに設けられている。
【００１２】
図２はホールランタン６の詳細構成図で、エレベータの移動方向、即ち、かごが上昇する方向を表示する上昇方向表示灯２０と、かごが下降する方向を表示する下降方向表示灯２１が設けられ、この上昇方向表示灯２０および下降方向表示灯２１内には、それぞれエレベータ扉の開閉状態を表示する扉開閉表示灯２２および２３が設けられている。
【００１３】
ホールランタン６は、前記のように構成されており、次にその動作を図３の動作フローと共に説明する。
即ち、例えば、エレベータの上昇移動時には、ホール呼釦５の操作に基づいて呼び階床に移動するエレベータが決まってかごが移動する時（ＳＴ１）、呼び階床へのかごの到着時間が第１の所定時間前になったところでホールランタン６の上昇方向表示灯２０が点灯する（ＳＴ２）。この上昇方向表示灯２０は、呼び階床へのかごの到着時間が第２の所定時間前になるまで点灯し、第２の所定時間前になると点灯から点滅に変わる（ＳＴ３）。
【００１４】
一方、扉開閉表示灯２２は、エレベータのかごの呼び階床への到着時間が第３の所定時間前（呼び階床直前）から点滅し始め（ＳＴ４）、かごが呼び階床に到着すること、およびエレベータ扉４が開くことを利用者に知らせる。ここで、第１の所定時間、第２の所定時間、および第３の所定時間の間には、第１の所定時間＞第２の所定時間＞第３の所定時間の関係がある。
その後、かごが呼び階床に到着してホールランタン６の上昇方向表示灯２０が点滅から点灯に変わると共に（ＳＴ５）、エレベータ扉４が開き始め（ＳＴ６）、エレベータ扉４の開きが完了すると扉開閉表示灯２２は点滅から点灯に変わり（ＳＴ７）、利用者は乗降することになる（ＳＴ８）。利用者の乗降が完了する所定時間前、即ち、エレベータ扉４が閉まる所定時間前になると、扉開閉表示灯２２は点灯から点滅に変わり（ＳＴ９）、その後、エレベータ扉４が閉まり始め（ＳＴ１０）、エレベータ扉４の閉まりが完了すると、扉開閉表示灯２２は消灯し、ホールランタン６の上昇方向表示灯２０も消灯する（ＳＴ１１）。なお、ホールランタン６の上昇方向表示灯２０と扉開閉表示灯２２を異なる点灯色にすると、利用者が判別するのに効果的である。
【００１５】
また、エレベータの下降移動時においては、ホールランタン６の動作は下降方向表示灯２１と扉開閉表示灯２３が動作することになるが、前記上昇時と同様の動作であり、詳細説明を省略する。なお、下降方向表示灯２１と扉開閉表示灯２３を異なる点灯色にすると、利用者が判別するのに効果的であることも前記上昇時と同様である。
【００１６】
この実施例装置によれば、かごが呼び階床に到着するのと、エレベータ扉４の開閉状態を利用者に知らせる手段として、ホールランタン６の上昇方向表示灯２０内に扉開閉表示灯２２を、また、下降方向表示灯２１内に扉開閉表示灯２３を設けたため、扉開閉表示灯２２および２３の部分のスペースが不要となり、ホールランタン６の外形を小さくできるので、ホールランタンを取り付けるために乗り場ホール１の壁２に形成する穴あけ量が小さくなり、建築施工の負担が軽減できると共に施工費用の削減が図れる効果がある。
【００１７】
実施の形態２．
図４はホールランタン６の実施の形態２を示す詳細構成図で、エレベータの移動方向、即ち、かごが上昇する方向を表示する上昇方向表示灯４０と、かごが下降する方向を表示する下降方向表示灯４１が設けられ、この上昇方向表示灯４０および下降方向表示灯４１のそれぞれの中には、エレベータ扉４の開閉状態を矢印で表示する扉開閉表示灯４２あるいは４３が設けられている。なお、この扉開閉表示灯４２および４３には、エレベータ扉４が閉まることを表示する扉閉表示灯４４，４５と、エレベータ扉４が開くことを表示する扉開表示灯４６，４７がそれぞれ設けられている。
【００１８】
ホールランタン６は、前記のように構成されており、次にその動作を図５の動作フローと共に説明する。
即ち、例えば、エレベータの上昇移動時には、ホール呼釦５の操作に基づいて呼び階床に移動するエレベータが決まってかごが移動する時（ＳＴ２０）、呼び階床へのかごの到着時間が第１の所定時間前になったところでホールランタン６の上昇方向表示灯４０が点灯する（ＳＴ２１）。この上昇方向表示灯４０は、呼び階床へのかごの到着時間が第２の所定時間前になるまで点灯し、第２の所定時間前になると点灯から点滅に変わる（ＳＴ２２）。
【００１９】
一方、扉開閉表示灯４２の扉開表示灯４６は、エレベータのかごの呼び階床への到着時間が第３の所定時間前（呼び階床直前）から点滅し始め（ＳＴ２３）、かごが呼び階床に到着すること、およびエレベータ扉４が開くことを利用者に知らせる。ここで、第１の所定時間、第２の所定時間、および第３の所定時間の間には、第１の所定時間＞第２の所定時間＞第３の所定時間の関係がある。
その後、かごが呼び階床に到着してホールランタン６の上昇方向表示灯４０が点滅から点灯に変わると共に（ＳＴ２４）、エレベータ扉４が開き始め（ＳＴ２５）、エレベータ扉４の開きが完了すると扉開閉表示灯４２の扉開表示灯４６は点滅から点灯に変わり（ＳＴ２６）、利用者は乗降することになる（ＳＴ２７）。利用者の乗降が完了する所定時間前、即ち、エレベータ扉４が閉まる所定時間前になると、扉開閉表示灯４２の扉閉表示灯４４が点滅し、扉開表示灯４６は消灯する（ＳＴ２８）。その後、エレベータ扉４が閉まり始め（ＳＴ２９）、エレベータ扉４の閉まりが完了すると、扉開閉表示灯４２の扉閉表示灯４４は消灯し、ホールランタン６の上昇方向表示灯４０も消灯する（ＳＴ３０）。なお、ホールランタン６の上昇方向表示灯４０と、扉閉表示灯４４および扉開表示灯４６を異なる点灯色にすると、利用者が判別するのに効果的である。
【００２０】
また、エレベータの下降移動時においては、ホールランタン６の動作は、下降方向表示灯４１、扉開閉表示灯４３の扉閉表示灯４５、扉開表示灯４７が前記上昇時と同様に動作するが、その詳細説明は省略する。なお、扉閉表示灯４５、扉開表示灯４７と下降方向表示灯４１とを異なる点灯色にすると、利用者が判別するのに効果的であることも前記上昇時と同様である。
【００２１】
この実施例装置によれば、前記実施の形態１による効果に加え、例えば、乗り場に多くの利用者がいて後ろの利用者がエレベータ扉４の開閉状態が認識できないような場合、矢印で示す「戸開」「戸閉」の表示を見ることでエレベータ扉４の開閉状態が認識でき、利用者へのサービスが一層向上し、顧客満足度を向上させる利点がある。
更に、エレベータ扉４が開く場合には、エレベータ扉４と出入り口３との間に利用者が引き込まれる危険性があり、また、エレベータ扉４が閉まる場合には、利用者がエレベータ扉４に挟まれる危険性があるが、この実施の形態によれば、そのような危険性も回避できるものである。
【００２２】
実施の形態３．
図６はホールランタン６の実施の形態３を示す詳細構成図で、この実施の形態３におけるホールランタン６の上昇方向表示灯６０および下降方向表示灯６１のそれぞれの中には、エレベータ扉４の開閉状態を文字で表示する扉開閉表示灯６２あるいは６３が設けられている。なお、この扉開閉表示灯６２および６３は、エレベータ扉４が開くことを「戸開」の文字で表示する扉開表示灯６４あるいは６５と、エレベータ扉４が閉まることを「戸閉」の文字で表示する扉閉表示灯６６あるいは６７がそれぞれ設けられており、その動作は、前記実施の形態２と同様であるので詳細説明を省略する。なお、扉開表示灯６４、扉閉表示灯６６と上昇方向表示灯６０とを異なる点灯色にし、また扉開表示灯６５、扉閉表示灯６７と下降方向表示灯６１とを異なる点灯色にすると、利用者が判別するのに効果的である。
【００２３】
この実施例装置によれば、実施の形態２と同様に、実施の形態１による効果に加え、例えば、乗り場に多くの利用者がいて後ろの利用者がエレベータ扉４の開閉状態が認識できないような場合、「戸開」「戸閉」の文字表示を見ることでエレベータ扉４の開閉状態が認識でき、利用者へのサービスが一層向上し、顧客満足度を向上させる利点がある。
更に、エレベータ扉４が開く場合には、エレベータ扉４と出入り口３との間に利用者が引き込まれる危険性があり、また、エレベータ扉４が閉まる場合には、利用者がエレベータ扉４に挟まれる危険性があるが、この実施の形態によれば、そのような危険性も回避できるものである。
【００２４】
実施の形態４．
前記実施の形態では、ホールランタン６の上昇方向表示灯および下降方向表示灯のそれぞれの中に、エレベータ扉の開閉状態を表現する扉開閉表示灯として、矢印で構成するもの、文字で構成するものを例に挙げて図示説明したが、この発明において採用される扉開閉表示灯としては、これらに限定されることなく、諸種の設計的変更を含むものである。
【産業上の利用可能性】
【００２５】
以上のように、この発明に係るエレベータの表示装置は、ホールランタンの方向表示灯内に扉開閉表示灯を設けたため、扉開閉表示灯部のスペースが不要となり、従って、この分ホールランタンの外形を小さくできるので、ホールランタンを取り付けるために乗り場ホール壁に形成する穴あけ量が小さくなり、建築施工の負担が軽減できると共に施工費用の削減が図れる効果を奏することができ、産業上の利用可能性は大なるものである。
【図面の簡単な説明】
【００２６】
【図１】この発明の実施の形態１を示すエレベータの乗り場ホールの斜視図である。
【図２】図１に示すホールランタンの詳細構成を示す図である。
【図３】図１に示すホールランタンの動作を説明するフローである。
【図４】ホールランタンの実施形態２を示す詳細構成図である。
【図５】図４に示すホールランタンの動作を説明するフローである。
【図６】ホールランタンの実施形態３を示す詳細構成図である。
【符号の説明】
【００２７】
１  乗り場ホール、                          ２  壁、  
３  出入り口、                              ４  エレベータ扉、
５  ホール呼釦、                            ６  ホールランタン、
２０，４０，６０  上昇方向表示灯、        ２１，４１，６１  下降方向表示灯、
２２，２３，４２，４３，６２，６３  扉開閉表示灯、
４４，４５，６６，６７  扉閉表示灯、      ４６，４７，６４，６５  扉開表示灯。
【図１】
2005219923.tif 000003
【図２】
2005219923.tif 000004
【図３】
2005219923.tif 000005
【図４】
2005219923.tif 000006
【図５】
2005219923.tif 000007
【図６】
2005219923.tif 000008